(57)【要約】【課題】人体の所望の箇所でマッサージ効果を得ることが容易なマッサージ用具を提供する。【解決手段】マッサージ用具は、一方向に延伸し、延伸方向の何れかの位置に開口を有するポケットが設けられた、伸縮性を有する布地で形成された、人体に装着される装着具と、ポケットに延伸方向に並んで収容された複数のマッサージ用球体と、を備え、人体に装着されたとき、装着具が伸ばされて、複数のマッサージ用球体の移動が制限され、人体に装着されないとき、複数のマッサージ用球体の延伸方向の位置を調整可能である。【選択図】図１
2020062283.tif 000002
【特許請求の範囲】
【請求項１】
一方向に延伸し、延伸方向の何れかの位置に開口を有するポケットが設けられた、伸縮性を有する布地で形成された、人体に装着される装着具と、
前記ポケットに前記延伸方向に並んで収容された複数のマッサージ用球体と、
を備え、
人体に装着されたとき、前記装着具が伸ばされて、前記複数のマッサージ用球体の移動が制限され、
人体に装着されないとき、前記複数のマッサージ用球体の前記延伸方向の位置を調整可能である、
マッサージ用具。
【請求項２】
前記ポケットは、湾曲しながら延伸する、
請求項１に記載のマッサージ用具。
【請求項３】
前記ポケットの開口方向は、前記延伸方向と相違する、
請求項１または２に記載のマッサージ用具。
【請求項４】
前記装着具は、前記ポケットの開口を覆い、前記ポケットの開口方向と逆向きに開口するカバーをさらに有する、
請求項１ないし３の何れかに記載のマッサージ用具。
【請求項５】
前記装着具は、前記ポケットの開口を閉塞する閉塞具をさらに有する、
請求項１ないし４の何れかに記載のマッサージ用具。
【請求項６】
前記ポケットの前記マッサージ用球体と接する部分は、前記マッサージ用球体によって穴径が広がるように伸ばされる、
請求項１ないし５の何れかに記載のマッサージ用具。
【請求項７】
前記装着具は、人体の上半身に装着される上衣型である、
請求項１ないし６の何れかに記載のマッサージ用具。
【請求項８】
前記ポケットは、人体の背中のうちの背骨と肩甲骨の間の領域に相当する位置に設けられる、
請求項７に記載のマッサージ用具。
【請求項９】
前記装着具は、人体の首に装着される首輪型である、
請求項１ないし６の何れかに記載のマッサージ用具。
【請求項１０】
前記装着具は、人体の腰に装着される腹巻型である、
請求項１ないし６の何れかに記載のマッサージ用具。
【請求項１１】
前記装着具は、人体の足に装着される靴下型である、
請求項１ないし６の何れかに記載のマッサージ用具。
【発明の詳細な説明】
【技術分野】
【０００１】
本発明は、マッサージ用具に関する。
【背景技術】
【０００２】
特許文献１には、２枚の布素材と前記２枚の布素材の間に１の球体を取り囲むように等間隔に４個の球体を設けて４個の球体を縫着又は接着して２枚の布素材間に配置したマッサージ用具が開示されている。
【先行技術文献】
【特許文献】
【０００３】
【特許文献１】特開２００６−２７１９５７号公報
【発明の概要】
【発明が解決しようとする課題】
【０００４】
上記文献では、布素材の所定の位置に球体が固定されているため、使用者は人体の所望の箇所でマッサージ効果を得ることが困難である。
【０００５】
本発明は、上記課題に鑑みてなされたものであり、その主な目的は、人体の所望の箇所でマッサージ効果を得ることが容易なマッサージ用具を提供することにある。
【課題を解決するための手段】
【０００６】
上記課題を解決するため、本発明の一の態様のマッサージ用具は、一方向に延伸し、延伸方向の何れかの位置に開口を有するポケットが設けられた、伸縮性を有する布地で形成された、人体に装着される装着具と、前記ポケットに前記延伸方向に並んで収容された複数のマッサージ用球体と、を備え、人体に装着されたとき、前記装着具が伸ばされて、前記複数のマッサージ用球体の移動が制限され、人体に装着されないとき、前記複数のマッサージ用球体の前記延伸方向の位置を調整可能である。
【０００７】
上記態様において、前記ポケットは、湾曲しながら延伸してもよい。
【０００８】
上記態様において、前記ポケットの開口方向は、前記延伸方向と相違してもよい。
【０００９】
上記態様において、前記装着具は、前記ポケットの開口を覆い、前記ポケットの開口方向と逆向きに開口するカバーをさらに有してもよい。
【００１０】
上記態様において、前記装着具は、前記ポケットの開口を閉塞する閉塞具をさらに有してもよい。
【００１１】
上記態様において、前記ポケットの前記マッサージ用球体と接する部分は、前記マッサージ用球体によって穴径が広がるように伸ばされてもよい。
【００１２】
上記態様において、前記装着具は、人体の上半身に装着される上衣型であってもよい。また、前記ポケットは、人体の背中のうちの背骨と肩甲骨の間の領域に相当する位置に設けられてもよい。
【００１３】
上記態様において、前記装着具は、人体の首に装着される首輪型であってもよい。
【００１４】
上記態様において、前記装着具は、人体の腰に装着される腹巻型であってもよい。
【００１５】
上記態様において、前記装着具は、人体の足に装着される靴下型であってもよい。
【発明の効果】
【００１６】
本発明によれば、人体の所望の箇所でマッサージ効果を得ることが容易となる。
【図面の簡単な説明】
【００１７】
【図１】第１実施形態に係るマッサージ用具の背面図である。
【図２】上記マッサージ用具の裏面側を示す拡大図である。
【図３】変形例を説明するための図である。
【図４】変形例を説明するための図である。
【図５】変形例を説明するための図である。
【図６】第２実施形態に係るマッサージ用具の背面図である。
【図７】第３実施形態に係るマッサージ用具の背面図である。
【図８】第４実施形態に係るマッサージ用具の側面図である。
【図９】上記マッサージ用具の底面図である。
【発明を実施するための形態】
【００１８】
以下、本発明の実施形態について、図面を参照しながら説明する。
【００１９】
［第１実施形態］
図１は、第１実施形態に係るマッサージ用具１Ａの背面図である。以下の説明では、図中の矢印Ｚ１を上方向、Ｚ２を下方向、Ｘ１を右方向、Ｘ２を左方向とする。図２は、マッサージ用具１Ａの裏面側を示す拡大図である。具体的には、図２は、マッサージ用具１Ａの裏面側のうちの左後半部を後方に向かって観察したときの視野を示している。
【００２０】
マッサージ用具１Ａは、人体の上半身に装着される上衣型の装着具２Ａを備えている。図示の例では、装着具２Ａはタンクトップ形状を有しているが、これに限らず、例えばＴシャツ、キャミソール、ポロシャツ、ワイシャツ、又はブラウスなどの形状であってもよい。装着具２Ａは、例えば綿又はポリエステル等の伸縮性を有する布地２１で形成されている。
【００２１】
装着具２Ａには、複数のマッサージ用球体３を収容するための、複数の細長いポケット２３が設けられている。ポケット２３は、布地２１の裏面側に帯状の布片２２の幅方向の両縁を縫い付ける又は接着すること等によって形成されている。帯状の布片２２も、布地２１と同様、例えば綿又はポリエステル等の伸縮性を有する素材で形成されている。
【００２２】
複数のマッサージ用球体３は、ポケット２３の内部にポケット２３の延伸方向に並んで収容されている。マッサージ用球体３は、例えば直径が１０〜５０ｍｍ程度の球状物である。図示の例では、１つのポケット２３に収容されるマッサージ用球体３の数は４つであるが、これに限らず、例えば１ないし３の何れかであってもよいし、５以上であってもよい。
【００２３】
マッサージ用球体３は、例えばポリエチレン又はポリスチレン等の発泡プラスチックで形成される。具体的には、マッサージ用球体３は、発泡プラスチックを金型で球状に成形したものであることが好ましい。これに限らず、マッサージ用球体３は木製等であってもよい。なお、マッサージ用球体３は、形状、大きさ、及び材料の少なくとも１つが互いに異なってもよい。
【００２４】
２つのポケット２３は、装着具２Ａの後部の中央を挟んだ左右両側に互いに離れて配置されており、主に上下方向に延伸している。ポケット２３の位置は、人体の背中のうちの背骨と肩甲骨の間の領域に相当する。ポケット２３の下半部は上下方向に延伸しており、ポケット２３の上半部は、上方に向かうに従って左右外方に広がるように湾曲しながら延伸している。
【００２５】
ポケット２３の延伸方向の長さは、ポケット２３に収容される複数のマッサージ用球体３の直径の合計よりも大きい。これにより、ポケット２３に収容される複数のマッサージ用球体３の間に、隙間を形成することができる。
【００２６】
例えば、ポケット２３を形成する帯状の布片２２の上部は、タンクトップ形状の布地２１の肩部分と同じ形状を有しており、布地２１の首回り及び肩周りの縁を折り返した縁部２７，２８とともに縫い合わされている。また、帯状の布片２２の下端部は、布地２１の下縁を折り返した縁部２９とともに縫い合わされている。
【００２７】
ポケット２３の上部には、マッサージ用球体３を出し入れするための開口２ａが形成されている。開口２ａは、帯状の布片２２の縁の一部が布地２１に縫い付けられない又は接着されないことによって形成されている。図示の例では、左右外方且つ上方に延びる布片２２の上部の下側の縁によって開口２ａが形成されており、開口２ａは、左右外方且つ下方に向かって開口している。
【００２８】
ここで、ポケット２３の開口２ａの開口方向Ｐは、ポケット２３の延伸方向Ｅと相違している。図示の例では、ポケット２３を形成する帯状の布片２２の幅方向の縁によって開口２ａを形成することで、ポケット２３の延伸方向Ｅと開口方向Ｐとを直交させている。これにより、マッサージ用球体３がポケット２３から抜け落ちることを抑制することが可能となる。
【００２９】
これに限らず、図３に示すように、開口２ａを形成する布片２２の延伸方向Ｅの端を延伸方向Ｅに対して斜交させることで、開口２ａの開口方向Ｐをポケット２３の延伸方向Ｅと相違させてもよい。
【００３０】
図２の説明に戻り、ポケット２３は、マッサージ用球体３の直径と同程度の穴径を有している。具体的には、ポケット２３の穴径は、広げられていない状態、例えばマッサージ用球体３を収容していない状態では、マッサージ用球体３の直径よりも小さい。
【００３１】
また、ポケット２３の穴径は、最も広げられた状態ではマッサージ用球体３の直径と同じ又はそれよりも大きい。図示の例では、ポケット２３の穴径は、最も広げられた状態でマッサージ用球体３の直径と同じとされている。
【００３２】
このため、ポケット２３のうちのマッサージ用球体３と接する部分Ｗ３は、マッサージ用球体３によって穴径が広がるように伸ばされており、それ以外の部分、例えば隣り合う２つのマッサージ用球体３の間の部分Ｗ２よりも穴径が大きくなる。
【００３３】
但し、ポケット２３の穴径は、最も広げられた状態でも、２以上のマッサージ用球体３が同時に通過することができない大きさとなっている。このため、ポケット２３の内部で延伸方向Ｅに並んだマッサージ用球体３は、位置を入れ替わることができない。
【００３４】
また、開口２ａの口径も、ポケット２３の穴径と同様に、広げられていない状態ではマッサージ用球体３の直径よりも小さく、最も広げられた状態でマッサージ用球体３の直径と同じ又はそれよりも大きくなるように形成されている。
【００３５】
以上のように構成されたマッサージ用具１Ａは、人体の上半身に装着されたときは、装着具２Ａが伸ばされて、複数のマッサージ用球体３の移動が制限される。すなわち、装着具２Ａが伸ばされると、ポケット２３が延伸方向Ｅ及びそれと直交する幅方向の少なくとも一方に伸ばされるので、ポケット２３によりマッサージ用球体３が締め付けられ、その結果、マッサージ用球体３の移動が制限される。
【００３６】
一方、マッサージ用具１Ａは、人体の上半身に装着されないときは、複数のマッサージ用球体３の延伸方向Ｅの位置を調整可能である。すなわち、装着具２Ａが伸ばされない状態では、ポケット２３によるマッサージ用球体３の締め付けは、装着具２Ａが伸ばされた状態と比べて弱いため、ポケット２３の外側から人の手によってマッサージ用球体３の位置を調整することができる。
【００３７】
したがって、マッサージ用具１Ａの使用者は、装着前にポケット２３内のマッサージ用球体３を所望の位置に調整できる上、装着時にはマッサージ用球体３が調整された位置に維持されるため、身体の所望の箇所でマッサージ効果を得ることが容易となる。
【００３８】
また、ポケット２３に複数のマッサージ用球体３が収容されているため、使用者は、隣り合う２つのマッサージ用球体３の一方又は両方を移動させることで、マッサージ用球体３の間隔を自由に調整することも可能である。
【００３９】
また、マッサージ用球体３を収容するポケット２３は、人体の背中のうちの背骨と肩甲骨の間の領域に相当する位置に設けられているので、当該領域にあるツボをマッサージ用球体３によって刺激することが可能である。
【００４０】
なお、マッサージ用球体３がポケット２３から抜け落ちることを抑制するための構成は、以下に説明する図４又は図５に示す変形例のようにしてもよい。
【００４１】
図４に示す変形例では、ポケット２３の開口２ａを覆うカバー４がさらに設けられている。カバー４は、ポケット２３の延伸方向の端部と重なっており、この端部と重なる縁以外の縁が布地２１に縫い付けられている又は接着されている。これにより、カバー４の開口方向Ｑは、ポケット２３の開口方向Ｐと逆向きになっている。
【００４２】
図５に示す変形例では、ポケット２３の開口２ａを閉塞する閉塞具５がさらに設けられている。閉塞具５は、例えばポケット２３の延伸方向の端部の内側に取り付けられた面ファスナーである。これに限らず、閉塞具５は、例えばボタン又はファスナー等であってもよい。また、ポケット２３の内側に滑り止めを設けてもよい。
【００４３】
［第２実施形態］
図６は、第２実施形態に係るマッサージ用具１Ｂの背面図である。上記実施形態と重複する構成については、同番号を付すことで詳細な説明を省略する。
【００４４】
マッサージ用具１Ｂは、人体の首に装着される首輪型の装着具２Ｂを備えている。装着具２Ｂの布地２１は帯状に形成されており、両端部に設けられた留具２４を留め合わせることによって円筒状になる。
【００４５】
装着具２Ｂには、周方向に延伸するポケット２３が設けられている。ポケット２３は、布地２１の表面側に帯状の布片２２の幅方向の両縁を縫い付ける又は接着すること等によって形成されている。
【００４６】
ポケット２３の延伸方向の一方の端には、開口２ａが形成されおり、開口２ａを覆うカバー４も設けられている。
【００４７】
以上のように構成されたマッサージ用具１Ｂも、人体の首に装着されたときは、装着具２Ｂが伸ばされて、複数のマッサージ用球体３の移動が制限され、人体の首に装着されないときは、複数のマッサージ用球体３の延伸方向の位置を調整可能である。
【００４８】
マッサージ用球体３を収容するポケット２３は、人体の首の後部に相当する位置に設けられているので、首の後部にあるツボをマッサージ用球体３によって刺激することが可能である。
【００４９】
［第３実施形態］
図７は、第３実施形態に係るマッサージ用具１Ｃの背面図である。上記実施形態と重複する構成については、同番号を付すことで詳細な説明を省略する。
【００５０】
マッサージ用具１Ｃは、人体の腰に装着される腹巻型の装着具２Ｃを備えている。装着具２Ｃの布地２１は、円筒状に形成されている。装着具２Ｂには、上下方向に延伸する複数のポケット２３が設けられている。
【００５１】
２つのポケット２３は、装着具２Ｃの後部の中央を挟んだ左右両側に互いに離れて配置されている。ポケット２３の位置は、人体の腰のうちの背骨の左右両側の領域に相当している。
【００５２】
ポケット２３の上端には開口２ａが形成されおり、開口２ａを覆うカバー４も設けられている。
【００５３】
以上のように構成されたマッサージ用具１Ｃも、人体の腰に装着されたときは、装着具２Ｃが伸ばされて、複数のマッサージ用球体３の移動が制限され、人体の腰に装着されないときは、複数のマッサージ用球体３の延伸方向の位置を調整可能である。
【００５４】
マッサージ用球体３を収容するポケット２３は、人体の腰のうちの背骨の左右両側の領域に相当する位置に設けられているので、当該領域にあるツボをマッサージ用球体３によって刺激することが可能である。
【００５５】
［第４実施形態］
図８及び図９は、第４実施形態に係るマッサージ用具１Ｄの側面図及び底面図である。上記実施形態と重複する構成については、同番号を付すことで詳細な説明を省略する。図中の矢印Ｙ１を前方向、Ｙ２を後方向とする。
【００５６】
マッサージ用具１Ｄは、人体の足に装着される靴下型の装着具２Ｄを備えている。装着具２Ｄの布地２１は、靴下型の形状を有している。装着具２Ｄの底部には、前後方向に延伸するポケット２３が設けられている。
【００５７】
ポケット２３の前部は、左右に二股に分かれた枝部２３１，２３２を有しており、それぞれの枝部２３１，２３２にマッサージ用球体３が収容されている。また、ポケット２３の中部は、枝部２３１，２３２に繋がる幅広部２３３を有しており、幅広部２３３には２つのマッサージ用球体３が左右に並んで収容されている。
【００５８】
ポケット２３の後端には開口２ａが形成されおり、開口２ａを覆うカバー４も設けられている。
【００５９】
以上のように構成されたマッサージ用具１Ｄも、人体の足に装着されたときは、装着具２Ｄが伸ばされて、複数のマッサージ用球体３の移動が制限され、人体の足に装着されないときは、複数のマッサージ用球体３の延伸方向の位置を調整可能である。
【００６０】
マッサージ用球体３を収容するポケット２３は、人体の足裏に相当する位置に設けられているので、使用者がマッサージ用球体３を踏みつけることによって足裏にあるツボを刺激することが可能である。
【００６１】
以上、本発明の実施形態について説明したが、本発明は以上に説明した実施形態に限定されるものではなく、種々の変更が当業者にとって可能であることはもちろんである。
【符号の説明】
【００６２】
１（１Ａ〜１Ｄ）  マッサージ用具、２（２Ａ〜２Ｄ）  装着具、２１  布地、２２  布片、２３  ポケット、２３１，２３２  枝部、２３３  幅広部、２４  留具、２７〜２９  縁部、２ａ  開口、３  マッサージ用球体、４  カバー、４ａ  開口、５  閉塞具
【図１】
2020062283.tif 000003
【図２】
2020062283.tif 000004
【図３】
2020062283.tif 000005
【図４】
2020062283.tif 000006
【図５】
2020062283.tif 000007
【図６】
2020062283.tif 000008
【図７】
2020062283.tif 000009
【図８】
2020062283.tif 000010
【図９】
2020062283.tif 000011